(57)【要約】【課題】不正治具により遊技機における遊技媒体の不正な計数行為を抑制する。【解決手段】投光部１１１は、受光部１１４で検出可能な光を、所定の時間間隔で投光する。発光部１１２は、所定の時間間隔と異なるタイミングで発光する。通路２６は、投光部１１１と受光部１１４との光路を遮光しながら円板状の物体を通過させる。通過検出部１１５は、受光部１１４により、投光部１１１により発光される前記所定の時間間隔と同一のタイミングで光が検出されるか否かにより前記円板状の物体の通過を検出する。本発明は、遊技機に適用することができる。【選択図】図７
2010088681.tif 000002
【特許請求の範囲】
【請求項１】
光を検出する受光部と、
前記受光部で検出可能な光を、所定の時間間隔で投光する投光部と、
前記所定の時間間隔と異なるタイミングで光を発生する光発生部と、
前記投光部と前記受光部との光路を遮光しながら円板状の物体を通過させる通過部と、
前記受光部により、前記投光部により投光される前記所定の時間間隔と同一のタイミングで光が検出されるか否かにより前記円板状の物体の通過を検出する検出部と
を備える物体検出装置。
【請求項２】
前記光発生部は、前記受光部で検出不能な光であって、前記投光部とほぼ同一の光を、前記所定の時間間隔と異なるタイミングで発生する
前記請求項１に記載の物体検出装置。
【請求項３】
前記光発生部は、前記受光部で検出不能な光であって、前記投光部とほぼ同一の光を、前記所定の時間間隔と異なるタイミングで、前記投光部により投光される光の角度と近傍の角度の光を発生する
前記請求項２に記載の物体検出装置。
【請求項４】
前記光発生部により発生される光の一部を、前記投光部により投光される前記受光部への光路上の光に重畳させる重畳部をさらに備え、
前記検出部は、前記受光部により、前記投光部により投光される前記所定の時間間隔と同一のタイミングで、前記光発生部により発生された光の一部の光の強さよりも強く、前記投光部により投光される前記受光部への光路上の光に、前記光発生部により発生される光の一部が重畳された光の強度よりも弱い第１の閾値よりも強い光が検出されるか否かにより前記円板状の物体の通過を検出する
前記請求項１に記載の物体検出装置。
【請求項５】
前記受光部により、検出可能な最も弱い光の強さよりも強く、前記光発生部により発生された光の一部の光の強さよりも弱い第２の閾値よりも強い光が検出されるか否かにより不正を検出する不正検出部をさらに備える
前記請求項４に記載の物体検出装置。
【請求項６】
前記光発生部は、
前記所定の時間間隔で、前記投光部と異なるタイミングで光を投光する他の投光部と、
前記他の投光部の光を、前記投光部が投光する方向に近い角度で反射する反射部と
を備える
請求項１に記載の物体検出装置。
【請求項７】
請求項１乃至６に記載の物体検出装置を備えるメダル選別装置。
【請求項８】
請求項７に記載のメダル選別装置を備えるメダル遊技機。
【発明の詳細な説明】
【技術分野】
【０００１】
本発明は、物体検出装置およびメダル選別装置に関し、特に、遊技機における円板状遊技媒体の不正な計数を防止できるようにした物体検出装置およびメダル選別装置に関する。
【背景技術】
【０００２】
スロットマシン（またはパチスロ機）に代表される回動体からなる遊技機においては、遊技媒体として円板状のメダルが用いられている。
【０００３】
遊技機のメダル選別装置には光センサが設けられており、この光センサにより投入されたメダルの数が計数される。
【０００４】
より具体的には、この光センサは、LED（Light Emission Diode）からなる投光素子と受光素子とが、メダルの通過経路を挟むように対向して設けられたものが２組連接されている。投光素子は、直流光を発し、受光素子は、この投光素子からの直流光が受光され続けている限り、通過経路上にメダルが存在しないことを認識（検出）する。
【０００５】
そして、メダルが投入口に投入されて通過経路上をメダルが自重により通過すると、投光素子により投光された直流光がメダルにより遮光されて、受光素子で所定時間だけ直流光が受光できない状態となる。このとき、光センサは、メダルの通過を検出する。また、同一の構造の光センサがメダルの経路上に連接されているので、連接された光センサにおけるメダルの通過が検出されるタイミングのずれや順序により、メダルの投入経路上での移動方向を検出することができる（特許文献１参照）。
【０００６】
ところで、この光センサの構造を利用した不正治具による不正行為が報告されている。
【０００７】
この不正治具は、メダル投入口に挿入可能な、柔軟な、きしめん状のものからなり、その先端部に発光素子が設けられたものである。
【０００８】
この不正治具による不正は、例えば、メダルの投入口から先端部分が挿入されて、遊技機の光センサにおける投光素子と受光素子との間に、不正治具の投光素子が光センサの受光素子に光学的に対向する位置まで挿入される。そして、不正治具の投光素子が、光センサの受光素子に対して直流光を投光することにより、光センサは、メダルが投入されていない状態として認識（検出）し、不正治具が挿入されていることも認識（検出）できない。
【０００９】
さらに、この状態で、不正治具の投光素子の投光をメダルの通過時間に合わせて停止させる動作が繰り返されることにより、メダルが通過していないにもかかわらず、光センサには、あたかもメダルが通過したことを誤検出させることができる。
【００１０】
従って、上述したような光センサを用いているような場合、このような不正治具による不正がなされてしまう可能性があった。
【００１１】
そこで、上述した不正治具による不正を防止するため、光センサの投光素子より変調光を発生させて、受光素子により変調光を受光させ、この変調光の有無を検出することによりメダルの通過を検出させる技術が提案されている。
【００１２】
【特許文献１】特開２００６−５５１８１号公報
【発明の開示】
【発明が解決しようとする課題】
【００１３】
しかしながら、光センサの投光素子から変調光を発生させて、受光素子による変調光の検出の有無によりメダルの通過を検出させるようにした場合、例えば、従来の不正治具を改良して、光センサの投光素子に光学的に対向する位置に受光素子をさらに設けることにより、光センサの投光素子から投光される変調光を検出した上で、検出した変調光と同期して不正治具の投光素子を投光させることが可能となるため、上述した不正治具と同様の不正がなされてしまう恐れがある。
【００１４】
本発明はこのような状況に鑑みてなされたものであり、不正治具による不正行為を光センサで検出できるような構成とすることにより、不正行為を防止できるようにするものである。
【課題を解決するための手段】
【００１５】
本発明の一側面の物体検出装置は、光を検出する受光部と、前記受光部で検出可能な光を、所定の時間間隔で投光する投光部と、前記所定の時間間隔と異なるタイミングで発光する光発生部と、前記投光部と前記受光部との光路を遮光しながら円板状の物体を通過させる通過部と、前記受光部により、前記投光部により発光される前記所定の時間間隔と同一のタイミングで光が検出されるか否かにより前記円板状の物体の通過を検出する検出部とを備える。
【００１６】
前記光発生部には、前記受光部で検出不能な光であって、前記投光部とほぼ同一の光を、前記所定の時間間隔と異なるタイミングで発光させるようにすることができる。
【００１７】
前記光発生部には、前記受光部で検出不能な光であって、前記投光部とほぼ同一の光を、前記所定の時間間隔と異なるタイミングで、前記投光部により投光される光の角度と近傍の角度の光を発光させるようにすることができる。
【００１８】
前記光発生部により発生される光の一部を、前記投光部により投光される前記受光部への光路上の光に重畳させる重畳部をさらに設けるようにさせることができ、前記検出部には、前記受光部により、前記投光部により投光される前記所定の時間間隔と同一のタイミングで、前記光発生部により発生された光の一部の光の強さよりも強く、前記投光部により投光される前記受光部への光路上の光に、前記光発生部により発生される光の一部が重畳された光の強度よりも弱い第１の閾値よりも強い光が検出されるか否かにより前記円板状の物体の通過を検出させるようにすることができる。
【００１９】
前記受光部により、検出可能な最も弱い光の強さよりも強く、前記光発生部により発生された光の一部の光の強さよりも弱い第２の閾値よりも強い光が検出されるか否かにより不正を検出する不正検出部をさらに設けるようにすることができる。
【００２０】
前記光発生部には、前記所定の時間間隔で、前記投光部と異なるタイミングで光を投光する他の投光部と、前記他の投光部の光を、前記投光部が投光する方向に近い角度で反射する反射部とを設けるようにすることができる。
【００２１】
本発明のメダル選別装置は、請求項１乃至６に記載の物体検出装置を設けるようにすることができる。
【００２２】
本発明のメダル遊技機は、請求項７に記載のメダル選別装置を設けるようにさせることができる。
【００２３】
本発明の一側面の物体検出装置においては、光が検出され、検出可能な光が、所定の時間間隔で投光され、前記所定の時間間隔と異なるタイミングで光が発生され、投光されて受光されるまでの光路を遮光しながら円板状の物体が通過させられ、発光される前記所定の時間間隔と同一のタイミングで光が受光されるか否かにより前記円板状の物体の通過が検出される。
【００２４】
本発明の一側面の物体検出装置における、前記所定の時間間隔と異なるタイミングで光を発生する光発生部とは、例えば、発光部であり、前記投光部と前記受光部との光路を遮光しながら円板状の物体を通過させる通過部とは、例えば、通路であり、前記受光部により、前記投光部により発光される前記所定の時間間隔と同一のタイミングで光が検出されるか否かにより前記円板状の物体の通過を検出する検出部とは、例えば、通過検出部である。
【００２５】
すなわち、不正治具が挿入されていない場合、受光部により、投光部の変調光からなる所定の時間間隔で投光される光が受光されることにより、投光部により投光される変調光と、受光部により受光される変調光とが一致するので、通過検出部は、メダルの通過を検出しない。そして、メダルが通路を自重により通過することで、光路が遮光されると、所定パルス数分の変調光を受光しないことにより、投光部により投光される変調光と、受光部により受光される変調光とが一致しないので、通過検出部は、メダルの通過を検出する。また、不正治具が挿入されている場合、発光部により発光される投光部とは異なるタイミングで発光する光が不正治具の受光部により受光されることで、投光部により投光される光と、受光部により受光される光とが一致した変調光とならないため、通過検出部の検出が所定時間以上継続されることにより、不正が認識される。
【００２６】
結果として、不正治具により遊技機における遊技媒体の不正な計数行為を抑制することが可能となる。
【発明の効果】
【００２７】
本発明によれば、不正治具により遊技機における遊技媒体の不正な計数行為を抑制することが可能となる。
【発明を実施するための最良の形態】
【００２８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
すなわち、本発明の一側面の物体検出装置は、光を検出する受光部（例えば、図７の受光部１１４）と、前記受光部で検出可能な光を、所定の時間間隔で投光する投光部（例えば、図７の投光部１１１）と、前記所定の時間間隔と異なるタイミングで光を発生する光発生部（例えば、図７の発光部１１２）と、前記投光部と前記受光部との光路を遮光しながら円板状の物体を通過させる通過部（例えば、図７の通路２６）と、前記受光部により、前記投光部により発光される前記所定の時間間隔と同一のタイミングで光が検出されるか否かにより前記円板状の物体の通過を検出する検出部（例えば、図７の通過検出部１１５）とを備える。
【００３０】
前記光発生部（例えば、図７の発光部１１２）には、前記受光部で検出不能な光であって、前記投光部とほぼ同一の光を、前記所定の時間間隔と異なるタイミングで発生させるようにすることができる。
【００３１】
前記光発生部（例えば、図７の発光部１１２）には、前記受光部で検出不能な光であって、前記投光部とほぼ同一の光を、前記所定の時間間隔と異なるタイミングで、前記投光部により投光される光の角度と近傍の角度の光を発生させるようにすることができる。
【００３２】
前記光発生部（例えば、図１２の発光部２０１）により発光される光の一部を、前記投光部により投光される前記受光部への光路上の光に重畳させる重畳部（例えば、図１２のプリズム２０２）をさらに設けるようにさせることができ、前記検出部（例えば、図１２の通過検出部２１１）には、前記受光部により、前記投光部により投光される前記所定の時間間隔と同一のタイミングで、前記光発生部により発生された光の一部の光の強さよりも強く、前記投光部により投光される前記受光部への光路上の光に、前記光発生部により発生される光の一部が重畳された光の強度よりも弱い第１の閾値よりも強い光が検出されるか否かにより前記円板状の物体の通過を検出させるようにすることができる。
【００３３】
前記受光部により、検出可能な最も弱い光の強さよりも強く、前記光発生部により発光された光の一部の光の強さよりも弱い第２の閾値よりも強い光が検出されるか否かにより不正を検出する不正検出部（例えば、図１７の不正検出部２２１）をさらに設けるようにすることができる。
【００３４】
前記光発生部（例えば、図２２の反射部３０１）には、前記所定の時間間隔で、前記投光部と異なるタイミングで光を投光する他の投光部（例えば、図２１のセンサ７１のうち、光路Ｌ１０１−１のセンサの投光部１１１）と、前記他の投光部の光を、前記投光部が投光する方向に近い角度で反射する反射部（例えば、図２１の反射部３０１）とを設けるようにすることができる。
【００３５】
［遊技機の構成例］
図１，図２は、本発明に係る遊技機の一実施の形態の構成例を示す図である。図１は、遊技機１の概観斜視図であり、図２は、遊技機１の前面扉５が開放され、内部の概観図が示されている。
【００３６】
図１で示されるように、遊技機１は、遊技操作面右部に設けられたメダルＭの投入口２より遊技媒体であるメダルMが投入されることにより遊技可能となる。より具体的には、メダルMが１乃至３枚投入されると図中左部に設けられたスタートレバーが操作可能となる。スタートレバーが操作されると、３つの回動体が回転し、それぞれに対応して設けられたストップボタンが操作されることにより回転が停止する。この際、停止した回動体の図柄が横、または斜めに揃うと、遊技機１は、揃った図柄に応じたメダルMを返却口３より排出する。
【００３７】
投入口２は、遊技操作面右中央部に設けられており、メダルＭを１枚ずつ受入れ、メダルセレクタ１０（図２乃至図５）に供給する。メダルセレクタ（メダル選別装置）１０は、投入口２より投入されたメダルMのうち、正規の大きさのメダルのみを内部に取込み、不適合の大きさのメダル類を外部の返却口３に返却する選別機能を備えている。
【００３８】
また、投入口２の下部には返却ボタン４が設けられている。返却ボタン４は、遊技者が遊技を中止したいとき押下するものであり、押下して操作された場合、メダルＭが返却口３から返却される。
【００３９】
図２で示されているように、前面扉５が開放された遊技機１の正面部１ａには上部に回動体（リール）６が設けられ、下部にはメダル取込み用またはメダル払出し用のホッパ７、図示しないメダル返却通路、および電源装置８とが設けられている。
【００４０】
一方、返却口３側の前面扉５の内面には、上部よりカバー９、メダルセレクタ（メダル選別装置）１０、および返却口３とが、同順に配設されている。以上のような構成により、遊技者により投入口２からメダルＭが投入されると、遊技機１は、回動体６を回転または停止させることで遊技を実現させる。
【００４１】
［メダルセレクタの構成例］
次に、図３乃至図５を参照して、メダルセレクタ（メダル選別装置）１０の構成例について説明する。ここで、図３は、メダルセレクタ１０の基板表面側からの外観斜視図であり、図４はメダルセレクタ１０の基板裏面側を示す外観斜視図であり、図５は、基板２１と開閉板２２との一対を組合せて構成されるメダルセレクタ１０の分解斜視図である。
【００４２】
メダルセレクタ（メダル選別装置）１０は、平面視コの字状の基板２１と、開閉板２２とを備え、開閉板２２側の支軸２３を基板２１側の軸受部２４に軸支すると共に、バネ２５により開閉板２２を常時基板２１側に付勢し、これら基板２１と開閉板２２との両者によりメダルＭが通過するための通路２６を形成している。
【００４３】
この通路２６は、上部の（挿入口）入口２７と下方の出口２８とを有するＬ字状に形成され、投入口２に連接される入口２７から下方に延びる縦辺部Ｒ１と、斜め下方に延びて出口２８に至る横辺部Ｒ２と、これら両辺部Ｒ１，Ｒ２を湾曲状に連通接続する湾曲部Ｒ３とを備えている。
【００４４】
また、基板２１裏面側の支軸２９を支点として揺動可能な可動ガイド板３０が設けられている。この可動ガイド板３０は、横長のガイド部３１を基板２１の開口部３２から通路２６の上部に沿設し、このガイド部３１でメダルＭの上端側を搬送方向にガイドするように構成している。
【００４５】
さらに、上述の可動ガイド板３０には、基板２１の裏面側に位置する排出部材としてのブロッカ３３を一体に折り曲げ形成し、このブロッカ３３の下端ブロック部３３ａを通路２６の下流側の開口部２６ａから通路２６に出没可能に構成している。
【００４６】
また、上述の基板２１の裏面側にはソレノイド３４で駆動される可動板３５が設けられており、この可動板３５の遊端３５ａが可動ガイド板３０の上端３０ａに対向して設けられ、ソレノイド３４のＯＮ時に可動板３５の遊端３５ａで可動ガイド板３０の上端３０ａが押圧されることにより、可動ガイド板３０のガイド部３１が、メダルＭの上端側の搬送をガイドすると共に、ブロッカ３３の下端ブロック部３３ａを通路２６の開口部２６ａから基板２１の裏面側に後退させる。これにより、有効と選別された正規のメダルＭは出口２８へと搬送され、無効と選別された不適合の大きさのコイン類は開閉板２２の排出口２２ａから排出させて、外部（遊技機の返却口）に返却されるように構成されている。
【００４７】
ソレノイド３４のＯＦＦ時には、可動ガイド板３０がメダルＭの上端側の搬送ガイドが解除されると共に、ブロッカ３３の下端ブロック部３３ａが通路２６側へ突出されることにより、メダルＭの受入れが中止される。
【００４８】
この通路２６の横辺部Ｒ２は、横辺部Ｒ２の上下に対設される可動ガイド板３０のガイド部３１と通路２６の下面を形成する案内プレート２６ｂとの上下に平行する間隔により直径の小さなメダルＭを通路外に排除する外形選別を実施し、正規の大きさのメダルＭのみを通過させて計数するように構成している。
【００４９】
従って、出口２８からは一定の大きさの円板形状を有する適正な大きさのメダルＭのみがホッパ7に取込まれる。この出口２８の直前において通路２６を形成する基板２１の通路壁には、通路２６の横辺部Ｒ２を通過するメダルＭを検出して計数するための２箇所のセンサからなるセンサ７１を、この通路方向に順に取付けている。
【００５０】
これらのセンサ７１は、第１センサと第２センサからなる２箇所のセンサから構成されており、それぞれのセンサにおいて投受光してメダルＭの通過を検出する光学式検出センサとして機能し、メダルＭが通路２６に沿って下流側に移動し、このメダルＭが第１センサ、および第２センサの、それぞれの光路をこの順に遮ることで、メダルＭの通過を検出する。このため、第１センサ、および第２センサは、適正なメダルＭの直径より小さくなる間隔に配置されている。
【００５１】
［センサの第１実施例］
次に、図６，図７を参照して、センサ７１の詳細な構成例について説明する。
【００５２】
センサ７１における第１センサは、投光口１０１−２から投光され、受光口１０２−２により受光される光路を横切るメダルＭの有無を検出し、第２センサは、投光口１０１−１から投光され、受光口１０２−１により受光される光路を横切るメダルＭの通過を検出する。
【００５３】
より詳細には、投光口１０１−１は、図７で示されるように、その内部に設けられたLED（Light Emission Diode）などからなる投光部１１１より投光された変調光を光路Ｌ１−１で示されるように投光し、反射板１１３により反射させて、光路Ｌ２−１より受光口１０２−１を介して受光部１１４に受光させる。受光部１１４は、受光した光を光電変換により電気信号に変換して受光信号として通過検出部１１５に供給する。
【００５４】
尚、以降において、投光口１０１−１，１０１−２、および受光口１０２−１，１０２−２、並びに光路Ｌ１−１，Ｌ１−２，Ｌ２−１，Ｌ２−２のそれぞれについて、特に区別する必要がない場合、単に、投光口１０１、受光口１０２、光路Ｌ１，Ｌ２と称するものとし、その他の構成についても同様に称するものとする。また、図７においては、投光口１０１−１、受光口１０２−１についてのみ表示されているが、投光口１０１−２、受光口１０２−２については、投光部１１１、および受光部１１４の配置が物理的に入替っているのみであり、その他の構成との関係については、同様であるので、その説明は省略するものとする。
【００５５】
投光制御部１１６は、投光部１１１の投光を制御する制御信号を供給し、予め定められたタイミングで投光部１１１を投光させることにより変調光を発生させる。このとき、投光制御部１１６は、投光部１１１における投光のタイミングを示す制御信号を通過検出部１１５にも供給する。
【００５６】
通過検出部１１５は、受光部１１４より供給されてくる受光信号と、投光制御部１１６より供給されてくる制御信号とを比較し、一致するか否かにより通路２６をメダルMが通過したか否かを判定し、第１センサおよび第２センサにおいてメダルの通過を検出したとき、カウンタ１２１に通過を知らせる通過信号を供給する。より詳細には、通過信号は、センサ７１によりメダルＭの通過の有無により検出される光路Ｌ１の遮光または透光を示す信号である。
【００５７】
カウンタ１２１は、通過検出部１１５からの検出結果である通過信号に基づいて、メダルＭを計数する。
【００５８】
発光部１１２は、例えば、LEDなどから構成されており、受光部１１４には受光されない光路Ｌ３方向に、光を常時発光させる。発光部１１２は、通路２６にメダルＭの投入口２より、後述する不正治具１５１（図１０）が挿入されてきた場合、挿入されてきた不正治具１５１に対して、発光した光を光路Ｌ３経由で照射することにより、不正治具１５１に、この光を受光させ、その一部を光路Ｌ１１方向に照射させることで、反射板１１３および光路Ｌ２を介して、受光部１１４により受光させる。
【００５９】
［図７のセンサによる通過検出動作］
次に、図８のフローチャートを参照して、図７のセンサ７１によるメダルＭの通過検出動作について説明する。
【００６０】
ステップＳ１において、投光制御部１１６は、投光部１１１を投光させる制御信号を発生する。そして、投光制御部１１６は、発生した制御信号を、投光部１１１、および通過検出部１１５に供給する。投光部１１１は、投光制御部１１６からの制御信号に基づいて、変調光を発光させ、光路Ｌ１方向に投光させる。この処理により、メダルＭの通路２６上にメダルＭが存在しなければ、投光部１１１により発光される変調光が光路Ｌ１より投光されて、反射板１１３により反射され、光路Ｌ２より受光部１１４に順次受光される。さらに、受光部１１４は、受光した光を光電変換し、受光信号として通過検出部１１５に供給する。
【００６１】
ステップＳ２において、通過検出部１１５は、受光部１１４より供給されてくる受光信号と、投光制御部１１６より供給されてくる制御信号とを比較し、受光信号と制御信号とが一致するか否かを判定する。
【００６２】
より詳細には、例えば、図９の最上段で示されるように、センサ７１の投光部１１１が、時刻ｔ２乃至ｔ３，ｔ４乃至ｔ５，ｔ６乃至ｔ７，ｔ８乃至ｔ９，ｔ１０乃至ｔ１１，ｔ１２乃至ｔ１３，ｔ１４乃至ｔ１５・・・において、点灯することで光路Ｌ１方向に投光し、時刻ｔ０乃至ｔ２，ｔ３乃至ｔ４，ｔ５乃至ｔ６，ｔ７乃至ｔ８，ｔ９乃至ｔ１０，ｔ１１乃至ｔ１２，ｔ１３乃至ｔ１４・・・において消灯することにより、図９の上から２段目で示されるように、時刻ｔ１以降において、センサ７１の発光部１１２が点灯している場合、時刻ｔ０乃至ｔ６のタイミングにおいて、メダルＭが通路２６上を移動して、光路Ｌ１を横切ったとき、受光部１１４においては、光路Ｌ１，Ｌ２を介して変調光が受光できない状態となる。このため、図９の上から３段目における時刻ｔ０乃至ｔ６で示されるように、受光部１１４においては投光部１１１からの光が非検出の状態となる。
【００６３】
そこで、ステップＳ２において、通過検出部１１５は、投光部１１１により変調光が投光されるタイミングを示す制御信号と、受光部１１４により受光されるタイミングを示す受光信号とが一致しない場合、処理は、ステップＳ３に進む。尚、図９においては、１パルス単位で一致するか否かによりメダルＭの通過の有無が判定されているが、実際には、通過検出部１１５は、パルス波として供給されてくる制御信号に対して、受光信号のうち直近の数パルス分の比較に基づいて、一致しているか否かを判定する。
【００６４】
ステップＳ３において、通過検出部１１５は、受光信号と制御信号とが一致しない状態であること、すなわち、メダルＭが検出された状態であることを示す通過信号をカウンタ１２１に通知する。尚、詳細には、受光部１１４が遮光状態であることのみが信号として通知される。カウンタ１２１は、受光信号と制御信号とが一致しない状態であること、すなわち、メダルＭが検出された状態が所定時間以上継続しているか否かを判定する。すなわち、メダルＭが通過する場合、受光信号と制御信号とが一致しない状態は、通過に要する所定時間、すなわち、数十パルス分の時間に限られるはずであるので、それ以上である場合は、何らかの不正行為がなされていると考えられる。
【００６５】
そこで、ステップＳ３において、受光信号と制御信号とが一致しない状態が所定時間以上ではない場合、ステップＳ４において、カウンタ１２１は、メダルＭの通過を認識し、２箇所あるセンサにおけるメダルＭの通過を検出したタイミングの差分などからメダルＭを計数する。そして、処理は、ステップＳ１に戻り、以降の処理が繰り返される。
【００６６】
すなわち、カウンタ１２１は、図９の最下段で示されるように、時刻ｔ０乃至ｔ６において、メダルＭの通路２６の通過に要する時間は数パルス内であるので、メダルの通過が検出される。
【００６７】
一方、時刻ｔ７以降のタイミングにおいて、メダルＭが通路２６上に存在せず、光路Ｌ１，Ｌ２を介して変調光が投光部１１１より投光され続けている場合、図９の３段目で示されるように、受光部１１４においては、光路Ｌ１，Ｌ２を介して変調光が受光できる状態が維持され、かつ、それぞれ時刻ｔ６乃至ｔ７，ｔ８乃至ｔ９，ｔ１０乃至ｔ１１，ｔ１２乃至ｔ１３，ｔ１４乃至ｔ１５・・・で示されるように、制御信号と受光信号とが一致するので、ステップＳ３，Ｓ４の処理がスキップされて、処理は、ステップＳ１に戻る。
【００６８】
また、ステップＳ３において、所定時間以上であると判定された場合、不正がなされたものとみなし、ステップＳ４の処理がスキップされて、処理は、ステップＳ１に戻る。
【００６９】
このように、通常においては、制御信号と受光信号とが、所定時間だけ不一致であるとき（メダルＭの通過に要する数パルス分の所定時間だけ遮光される状態であるとき）、メダルＭの通過が検出されて、検出結果に基づいて、カウンタ１２１がメダルＭを計数することが可能となる。
【００７０】
尚、図９の最上段においては、投光部１１１の変調光の発光タイミング、すなわち、実質的に、投光制御部１１６からの制御信号が示されている。また、図９の２段目においては、センサ７１の発光部１１２の発光を制御する発光信号が示されている。さらに、図９の３段目は、センサ７１の受光部１１４により出力される受光信号が示されている。また、図９の４段目は、通過検出部１１５の検出結果を示す信号が示されている。
【００７１】
また、図７で示されるセンサ７１においては、例えば、図１０で示されるように、投入口２より不正治具１５１が挿入されるような場合でも、誤動作による不正を防止することができる。
【００７２】
ここで、不正治具１５１について説明する。不正治具１５１は、きしめん状の構造により、遊技機１の投入口２より通路２６の縦辺部Ｒ１、湾曲部Ｒ３、および横辺部Ｒ２を介して、順次その先端部がセンサ７１に到達する構成となっている。また、不正治具１５１の先端部分には、図１０で示されるように、反射板１１３に受光口１０２より受光部１１４で受光可能な不正投光部１６１と、その背面であって、投光口１０１に対応する位置に投光口１０１からの光を受光する不正受光部１６２とが設けられている。不正投光部１６１は、不正受光部１６２により光が受光されたタイミングで発光し、光路Ｌ１１で示される光を反射板１１３に投光する。したがって、例えば、発光部１１２が存在しない場合、投光口１０１より投光部１１１が投光する光と同一のタイミングで不正投光部１６１を発光することで、受光部１１４は、あたかも通路２６にメダルＭが存在しない状態と同様の変調光を受光することになる。
【００７３】
また、この投光部１６１は、図示せぬ制御装置により発光タイミングが制御され、メダルＭが通路２６を通過したときに光路Ｌ１が遮光されるときのように、所定時間遮光されたように消灯しつつ、受光部１６２により受光した投光部１１１から投光された変調光と同期して投光する処理を繰り返す。このため、受光部１１４には、メダルＭが通路２６を通過していないにもかかわらず、あたかもメダルＭが通路２６を通過しているかのような状態を示す変調光が受光される。結果として、発光部１１２が存在しない、従来のセンサでは、受光部１１４により受光されることにより発生される受光信号と、制御信号との比較により、不正にメダルＭがカウントされてしまうことがあった。
【００７４】
これに対して、本願の図７で示されるセンサ７１は、投光部１１１より投光される光が通過する投光口１０１に対して、発光部１１２が投光部１１１より投光される光路Ｌ１の方向とは異なる光路Ｌ３の方向にも光を発光する。
【００７５】
このため、図１１の最上段で示されるように、時刻ｔ２２乃至ｔ２３，ｔ２４乃至ｔ２５，ｔ２７乃至ｔ２８，ｔ２９乃至ｔ３０，ｔ３１乃至ｔ３２，ｔ３３乃至ｔ３４，ｔ３５乃至ｔ３６・・・のタイミングにおいて、投光部１１１より変調光を点灯し、時刻ｔ２１以降において、発光部１１２が点灯すると、図１１の３段目で示されるように、不正治具１５１の不正受光部１６２は、光を検出し続ける。すなわち、不正受光部１６２は、投光口１０１に対して対向する位置に存在するため、変調光として投光されている投光部１１１の光路Ｌ１の光と共に、連続的に発光し続けている発光部１１２の光を検出し続ける。
【００７６】
このため、不正投光部１６１は、図１１の４段目の、例えば、時刻ｔ２１乃至ｔ２６で示されるように消灯することで、あたかもメダルＭが通路２６上を移動しながら光路Ｌ１を遮光しているかのように動作し、図１１の５段目で示されるように、受光部１１４は、時刻ｔ２６に至るまで光路Ｌ１２からの光を検出しない状態となる。
【００７７】
しかしながら、時刻ｔ２６以降においては、不正受光部１６２が、投光部１１１が消灯したタイミングにおいても、図１１の３段目で示されるように、発光部１１２より発せられる光路Ｌ３の光を受光することにより、図１１の４段目で示されるように、不正投光部１６１は光路Ｌ１１の光を投光し続ける。
【００７８】
結果として、図１１の５段目で示されるように、時刻ｔ２６以降においても、受光部１１４では光が受光され続けることになり、図１１の最上段で示される投光部１１１の制御信号と、受光部１１４からの受光信号とが一致しないことになる。このため、通過検出部１１５は、図１１の６段目で示されるように、メダル有りの状態を検出し続ける。しかしながら、カウンタ１２１は、メダル有りの状態が所定時間以上継続されることにより、メダルMをカウントしないため、不正なメダルＭの計数を抑制することが可能となる。
【００７９】
尚、以上においては、発光部１１２が、連続的に発光している例について説明してきたが、投光部１１１により発せられる光の発光タイミングと異なるタイミングで発光するようにすればよいので、例えば、図１１の７段目で示されるように、投光部１１１が消灯している時刻ｔ２３乃至ｔ２４，ｔ２５乃至ｔ２７，ｔ２８乃至ｔ２９，ｔ３０乃至ｔ３１，ｔ３２乃至ｔ３３，ｔ３４乃至ｔ３５・・・のタイミングにおいて発光するようにしても良い。
【００８０】
また、発光部１１２の発する光の光路Ｌ３と、投光部１１１の投光する光の光路Ｌ１との角度差は、発光部１１２の発する光が、不正治具１５１の不正受光部１６２に受光可能であって、受光部１１４に直接受光不能な角度であればよいが、理想的には、光路Ｌ１の以外の広い範囲全体を光路Ｌ３に設定することで、不正治具１５１の不正受光部１６２に対して受光させることが可能となるので、不正の抑制効果を向上させることが可能となる。また、光路Ｌ３は、光路Ｌ１の近傍の角度として設定することで、光路Ｌ１の範囲を小さくしても、高精度に不正を抑制することが可能となる。
【００８１】
［センサの第２実施例］
以上においては、受光部１１４により受光されない光を発する発光部１１２を設けて、投光部１１１により投光される光の光路Ｌ１が通過する投光口１０１より発光させることにより、不正治具１５１の不正受光部１６２に対して投光部１１１からの変調光以外の光を受光させ、不正治具１５１による不正なメダルＭの計数を抑制させる例について説明してきたが、投光部１１１より発せられる変調光の受光レベルが所定の閾値を越えるタイミングと、制御信号との比較により、不正なメダルＭの計数を抑制できるようにしてもよい。
【００８２】
図１２は、投光部１１１より発せられる変調光の受光レベルが所定の閾値を越えるタイミングと、制御信号との比較により、不正なメダルＭの計数を抑制できるようにしたセンサ７１の構成例を示している。尚、図１２において、図７のセンサ７１における構成と同一の機能を備える構成については、同一の符号を付しており、その説明は適宜省略するものとする。すなわち、図１２のセンサ７１において、図７のセンサ７１と異なるのは、発光部１１２、および通過検出部１１５に代えて発光部２０１、および通過検出部２１１を設け、さらに、プリズム２０２を備えた点である。
【００８３】
発光部２０１は、LEDなどからなり、一定の光を定常的に発して、プリズム２０２に対して、図１２の光路Ｌ２１で示される所定の角度から一定の光を照射する。
【００８４】
プリズム２０２は、発光部２０１から光路Ｌ２１を介して照射されてくる光の一部を光路Ｌ１’に分光させ、残りの光を光路Ｌ３’に分光させる。また、投光部１１１より光路Ｌ１で照射される光を光路Ｌ１’に分光させる。すなわち、プリズム２０２は、投光部１１１より照射された光に対して、発光部２０１より照射された光の一部を重畳することにより重畳光を生成して、光路Ｌ１’方向に照射させ、反射板１１３により反射させてから、光路Ｌ２’を介して、受光部１１４に受光させる。
【００８５】
通過検出部２１１は、受光部１１４より供給されてくる光電変換された受光レベルを含む受光信号を取得すると共に、投光制御部１１６からの制御信号を取得する。そして、通過検出部２１１は、制御信号により投光されるタイミング（点灯するタイミング）と同期して受光信号の受光レベルが所定の閾値Ｔ１を超えるか否かを判定することにより、メダルＭが通過したか否かを判定する。ここで、所定の閾値Ｔ１は、重畳光を受光部１１４が受光するときの受光レベルの最小値よりも高く最大値よりも低い値である。すなわち、重畳光を受光部１１４が受光するときの受光レベルの最大値は、投光部１１１により投光されている光に、発光部２０１により発光された光のうち、プリズム２０２により光路Ｌ１’に分光される光が重畳された重畳光の受光レベルである。また、最小値は、発光部２０１により発光された光のうち、プリズム２０２により光路Ｌ１’に分光される光のみの受光レベルである。
【００８６】
［図１２のセンサによる通過検出動作］
次に、図１３のフローチャートを参照して、図１２のセンサ７１によりメダルＭの通過検出動作について説明する。
【００８７】
ステップＳ２１において、投光制御部１１６は、投光部１１１を投光させる制御信号を発生し、投光部１１１、および通過検出部１１５に供給する。投光部１１１は、投光制御部１１６からの制御信号に基づいて、変調光を発光させ、光路Ｌ１方向に投光させる。
【００８８】
ステップＳ２２において、プリズム２０２は、発光部２０１より光路Ｌ２１を介して照射される光の一部と、投光部１１１から光路Ｌ１を介して照射されてくる変調光とを重畳し、重畳光として光路Ｌ１’方向に分光させると共に、発光部２０１からの残りの光を光路Ｌ３’方向に分光させる。
【００８９】
この処理により、メダルＭの通路２６上にメダルＭが存在しなければ、重畳光が光路Ｌ１’より投光されて、反射板１１３により反射され、光路Ｌ２’より受光部１１４に順次受光される。そして、受光部１１４は、受光した光を光電変換し、受光した光の受光レベルに応じた受光信号を通過検出部２１１に供給する。
【００９０】
ステップＳ２３において、通過検出部２１１は、受光部１１４より供給されてくる受光信号が、所定の閾値Ｔ１を超えるタイミングと、投光制御部１１６より供給されてくる制御信号における投光部１１１により投光されるタイミング（点灯するタイミング）とを比較し、一致するか否かを判定する。
【００９１】
例えば、図１４の最上段で示されるように、図９と同様に、投光部１１１が投光している場合であって、図１４の上から２段目で示されるように、時刻ｔ１以降において、センサ７１の発光部２０１が点灯している場合、時刻ｔ０乃至ｔ６のタイミングにおいて、メダルＭが通路２６上を移動して、光路Ｌ１’を横切ったとき、受光部１１４においては、光路Ｌ１’，Ｌ２’を介して重畳光が受光できない状態となるため、図１４の上から３段目における時刻ｔ０乃至ｔ６で示されるように、受光部１１４においては光が非検出の状態となる。
【００９２】
このため、ステップＳ２３において、通過検出部２１１は、投光部１１１により変調光が投光されるタイミングを示す制御信号と、受光部１１４により受光される光が閾値Ｔ１を越えるタイミングとが一致しない場合、処理は、ステップＳ２４に進む。
【００９３】
ステップＳ２４において、通過検出部２１１は、投光部１１１により変調光のうち投光されるタイミングを示す制御信号と、受光部１１４により受光される光が閾値Ｔ１を越えるタイミングとが一致しない状態であること、すなわち、メダルＭが検出された状態であることを示す通過信号をカウンタ１２１に通知する。尚、詳細には、受光部１１４が遮光状態であることのみが信号として通知される。カウンタ１２１は、受光信号と制御信号とが一致しない状態であること、すなわち、メダルＭが検出された状態が所定時間以上継続しているか否かを判定する。
【００９４】
ステップＳ２４において、投光部１１１により変調光が投光されるタイミングを示す制御信号と、受光部１１４により受光される光が閾値Ｔ１を越えるタイミングとが一致しない状態が所定時間以上ではない場合、ステップＳ２５において、カウンタ１２１は、メダルＭの通過を認識し、２箇所あるセンサにおけるメダルＭの通過を検出したタイミングの差分などからメダルＭを計数する。
【００９５】
すなわち、通過検出部２１１は、図１４の最下段で示されるように、時刻ｔ０乃至ｔ６において、メダルＭの通路２６の通過、すなわち、メダル有りを検出し、カウンタ１２１に通知する。さらに、処理は、ステップＳ２１に戻り、以降の処理が繰り返される。
【００９６】
一方、時刻ｔ７以降のタイミングにおいて、メダルＭが通路２６上に存在せず、光路Ｌ１’，Ｌ２’を介して重畳光がプリズム２０２より投光され続けている場合、図１４の３段目で示されるように、受光部１１４においては、光路Ｌ１’，Ｌ２’を介して重畳光が受光できる状態が維持され、かつ、それぞれ時刻ｔ６乃至ｔ７，ｔ８乃至ｔ９，ｔ１０乃至ｔ１１，ｔ１２乃至ｔ１３，ｔ１４乃至ｔ１５・・・で示されるように、制御信号における投光のタイミングと受光信号の受光レベルが所定の閾値Ｔ１を超えるタイミングとが一致するので、ステップＳ２４，Ｓ２５の処理がスキップされて、処理は、ステップＳ２１に戻る。尚、図中では非検出状態の方が受光レベルが低く、受光レベルが高くなるにつれて検出状態となる。
【００９７】
また、ステップＳ２４において、投光部１１１により変調光が投光されるタイミングを示す制御信号と、受光部１１４により受光される光が閾値Ｔ１を越えるタイミングとが一致しない状態が所定時間以上であると判定された場合、不正が行われているものとみなして、ステップＳ２５の処理がスキップされ、処理は、ステップＳ２１に戻る。
【００９８】
このように、センサ７１は、通常においては、投光部１１１により変調光が投光されるタイミングを示す制御信号と、受光部１１４により受光される光が閾値Ｔ１を越えるタイミングとが一致しない状態が所定時間内であるとき、メダルＭを検出して、検出結果に基づく通過信号をカウンタ１２１に供給する。そして、この通過信号に基づいて、カウンタ１２１がメダルＭを計数することが可能となる。
【００９９】
尚、図１４における各波形は、図９におけるものと基本的に同様である。また、図１４の３段目で示されるように、時刻ｔ７乃至ｔ８，ｔ９乃至ｔ１０，ｔ１１乃至ｔ１２，ｔ１３乃至ｔ１４・・・において、非検出の状態よりも受光レベルが高いのは（検出状態のレベルに近付いているのは）、投光部１１１が消灯しているタイミングでも、プリズム２０２により、発光部２０１の光の一部が重畳光として点灯した状態となるためである。
【０１００】
また、図１２で示されるセンサ７１においては、例えば、図１５で示されるように、投入口２より不正治具１５１’が挿入され、不正受光部１６２’が、図１０における場合のように、重畳光を受光可能な光路Ｌ２’上であって、投光口１０１（発光部１１２）に対向する位置に存在しない場合でも、誤動作による不正を防止することができる。
【０１０１】
すなわち、本願の図１２で示されるセンサ７１は、プリズム２０２が、発光部２０１で発光された光の一部と、投光部１１１より投光される光とを重畳した重畳光を光路Ｌ１’方向に対して分光させている。
【０１０２】
このため、図１４の３段目で示されるように、時刻ｔ７乃至ｔ８，ｔ９乃至ｔ１０，ｔ１１乃至ｔ１２，ｔ１３乃至ｔ１４・・・のような、投光部１１１が消灯している状態においても、発光部２０１の光の一部が重畳光として光路Ｌ１’上に存在しているため、図１６の３段目で示されるように、不正治具１５１’の不正受光部１６２’は、光を検出し続けることになる。
【０１０３】
このため、不正投光部１６１’は、図１６の４段目で示されるように、例えば、時刻ｔ２１乃至ｔ２６で示されるように消灯することで、あたかもメダルＭが通路２６上を移動しながら光路Ｌ１’，Ｌ２’を遮光しているかのように動作することで、図１６の５段目で示されるように、受光部１１４は、時刻ｔ２６に至るまで光路Ｌ１２からの光を検出しない状態となる。
【０１０４】
しかしながら、時刻ｔ２６以降においては、不正受光部１６２’が、投光部１１１が消灯したタイミングにおいても、図１６の３段目で示されるように、重畳光を受光し続けることにより、図１６の４段目で示されるように、不正投光部１６１’は光路Ｌ１’の光を投光し続ける。
【０１０５】
結果として、図１６の５段目で示されるように、時刻ｔ２６以降においても、受光部１１４では光が受光され続けることになり、図１６の最上段で示される投光部１１１の制御信号と、受光部１１４からの受光信号とが一致しない（ここでは、投光部１１１から光が投光されるタイミングと、受光部１１４により受光される光の受光レベルが所定の閾値Ｔ１を超えるタイミングとが一致しない）ことになる。このため、通過検出部２１１は、図１６の６段目で示されるように、遮光された状態が続くため、メダル有りの状態を検出し続ける。しかしながら、カウンタ１２１は、メダル有りの状態が所定時間以上継続されることにより、メダルＭをカウントしないので、図１５で示されるように、投入口２より不正治具１５１’が挿入され、不正受光部１６２’が、図１０における場合のように、投光口１０１に対して対向する位置に存在しない場合でも、不正なメダルＭの計数を抑制することが可能となる。
【０１０６】
［センサの第３実施例］
以上においては、投光部１１１から光が投光されるタイミングと、受光部１１４により受光される光の受光レベルが所定の閾値Ｔ１を超えるタイミングとが一致するか否かにより、不正なメダルＭの計数を抑制する例について説明してきたが、さらに閾値を増やすことにより、不正治具１５１の有無を検出し、不正を検出するようにしてもよい。
【０１０７】
図１７は、閾値を増やすことにより、不正治具１５１の有無を検出し、不正を検出するようにしたセンサ７１の構成例を示している。尚、図１７において、図７または図１２のセンサ７１における構成と同一の機能を備える構成については、同一の符号を付しており、その説明は適宜省略するものとする。すなわち、図１７のセンサ７１において、図１２のセンサ７１と異なるのは、新たに通過検出部２１１に不正検出部２２１を設けた点である。
【０１０８】
不正検出部２２１は、受光部１１４より供給されてくる受信信号の受信レベルと、重畳光の最小値よりも小さく、非検出状態における受光レベルよりも大きな閾値Ｔ１１とを比較し、所定時間以上であるとき、不正治具が使用されているものとみなす。ここで、所定時間とは、メダルＭが通路２６を通過する際、光路Ｌ１’，Ｌ２’を遮光するのに要する数パルス程度の時間である。不正検出部２２１は、不正を検出すると、不正を検出したことを示す信号をカウンタ１２１に供給し、メダルＭの計数を停止させる。尚、図１７のセンサによる通過検出動作については、図１２のセンサ７１における場合と同様であるので、その説明は省略する。
【０１０９】
［図１７のセンサによる不正検出動作］
次に、図１８のフローチャートを参照して、図１７のセンサ７１により不正治具を用いた不正を検出する不正検出動作について説明する。
【０１１０】
ステップＳ５１において、投光制御部１１６は、投光部１１１を投光させる制御信号を発生し、投光部１１１、および通過検出部２１１に供給する。投光部１１１は、投光制御部１１６からの制御信号に基づいて、変調光を発光させ、光路Ｌ１方向に投光させる。
【０１１１】
ステップＳ５２において、プリズム２０２は、発光部２０１より光路Ｌ２１を介して照射される光の一部と、投光部１１１より光路Ｌ１より照射されてくる変調光とを重畳し、重畳光として光路Ｌ１’方向に分光させると共に、発光部２０１からの光の残りを光路Ｌ３’方向に分光させる。
【０１１２】
この処理により、メダルＭの通路２６上にメダルＭが存在しなければ、重畳光が光路Ｌ１’より投光されて、反射板１１３により反射され、光路Ｌ２’より受光部１１４に順次受光される。そして、受光部１１４は、受光した光を光電変換し、受光した光のレベルに応じた受光信号として通過検出部２１１、および不正検出部２２１に供給する。
【０１１３】
ステップＳ５３において、不正検出部２２１は、受光部１１４より供給されてくる受光信号が、所定の閾値Ｔ１１を越えるか否かを判定する。
【０１１４】
例えば、図１９の最上段で示されるように、図９と同様に、投光部１１１が投光している場合であって、図１９の上から２段目で示されるように、時刻ｔ１以降において、センサ７１の発光部２０１が点灯している場合、時刻ｔ０乃至ｔ６のタイミングにおいて、メダルＭが通路２６上を移動して、光路Ｌ１’を横切ったとき、受光部１１４においては、光路Ｌ１’，Ｌ２’を介して重畳光が受光できない状態となるため、図１９の上から３段目における時刻ｔ０乃至ｔ６で示されるように、受光部１１４においては光が遮光されて非検出の状態となる。
【０１１５】
このため、ステップＳ５３において、不正検出部２２１は、受光部１１４より供給されてくる受光信号の受光レベルが、図１９の一点鎖線で示されるように、所定の閾値Ｔ１１を越えないと判定する。
【０１１６】
ステップＳ５４において、不正検出部２２１は、受光レベルが所定の閾値Ｔ１１よりも小さい状態が所定時間以上継続しているか否かを判定する。例えば、上述したようにメダルＭの通路２６の通過に伴う遮光の時間が所定時間より短いので、不正はないものとみなし、処理は、ステップＳ５１に戻る。
【０１１７】
一方、ステップＳ５４において、例えば、不正治具１５１が、メダルＭの投入口２より挿入されて、不正受光部１６２で変調光が受光されて、閾値Ｔ１よりも受光レベルが高い場合、不正投光部１６１により投光するとき、不正投光部１６１は、閾値Ｔ１よりも受光レベルが低い場合、消灯した状態となってしまうので、受光レベルが閾値Ｔ１１よりも低い状態が継続することになる。そして、メダルが通過するのに必要とされる所定時間以上、受光レベルが所定の閾値Ｔ１１よりも小さい状態が継続することになるので、このような場合、不正治具１５１が挿入されているものとみなされ、処理は、ステップＳ５５に進む。
【０１１８】
ステップＳ５５において、不正検出部２２１は、不正治具１５１による不正を検出し、カウンタ１２１に対して不正を検出したことを通知する。これにより、カウンタ１２１は、不正治具による不正が検出されたことを認識し、メダルＭの計数を停止する。
【０１１９】
尚、以上の例においては、メダルが通過するのに必要とされる所定時間以上、受光レベルが所定の閾値Ｔ１１よりも小さい状態が継続するとき、不正が検出される例について説明してきたが、例えば、通過検出動作における、受光部１１４より供給されてくる受光信号が所定の閾値Ｔ１を超えるタイミングと、投光制御部１１６より供給されてくる制御信号における投光部１１１により投光されるタイミングとが、一致するパルスが連続して検出されたとき、そのパルス間の投光部１１１が消灯している期間における、受光レベルが所定の閾値Ｔ１１よりも小さいか否かにより不正を検出するようにしても良い。
【０１２０】
すなわち、例えば、図１９における時刻ｔ６乃至ｔ７のパルスと、時刻ｔ８乃至ｔ９のパルスとは、受光部１１４より供給されてくる受光信号が所定の閾値Ｔ１を超えるタイミングと、投光制御部１１６より供給されてくる制御信号における投光部１１１により投光されるタイミングとが一致している。そこで、この一致していることが確認されたパルス間の時刻ｔ７乃至ｔ８における投光部１１１が消灯している期間において、受光レベルが所定の閾値Ｔ１１よりも小さいか否かが判定されることにより、不正の有無を検出するようにしても良い。
【０１２１】
また、不正が検出された際、例えば、通過検出部１１５からカウンタ１２１に、メダルＭの通過が検出されたことを示す信号を継続的に出力させ、強制的にカウンタ１２１によるメダルＭの計数を停止させるようにして、不正なメダルＭの計数を抑制させるようにしても良い。
【０１２２】
以上によれば、プリズム２０２により投光部１１１により投光される光に、発光部２０１の光の一部を重畳することにより、投光部１１１が消灯したタイミングにおいても受光部１１４において光を受光するようにしたので、不正治具が使用されることがあっても、不正治具の使用を認識することで不正を検出することが可能となる。
【０１２３】
以上においては、投光部１１１により投光される光に、発光部２０１の光の一部を重畳することにより、投光部１１１が消灯したタイミングにおいても受光部１１４において光を受光するようにしたセンサ７１の例について説明してきたが、センサ７１に設けられた２個のセンサのうち、一方のセンサに対応する不正治具の不正投光部１６１からの光を他方のセンサに対応する不正受光部１６２に反射して受光させることで、不正治具の使用を検出すると共に、不正なメダルＭの計数を抑制するようにしても良い。
【０１２４】
［センサの第４実施例］
図２１の概観斜視図、および図２２のブロック図は、センサ７１に設けられた２個のセンサのうち、一方のセンサに対応する不正治具の不正投光部１６１からの光を他方のセンサに対応する不正受光部１６２に反射させて受光させることで、不正治具の使用を検出すると共に、不正なメダルＭの計数を抑制するようにしたセンサ７１の構成例を示している。尚、図２１，図２２においては、図６，図７のセンサ７１における構成と同様の構成については、同一の符号が付されており、その構成についての説明は適宜省略するものとする。
【０１２５】
すなわち、図２１，図２２のセンサ７１において、図６，図７のセンサ７１と異なるのは、投光口１０１および受光口１０２に対応する投光口３１１および受光口３１２を備えた反射板３０１を新たに設け、さらに、発光部１１２を削除すると共に、不正検出部２１１に代えて、不正検出部２５１を設けた点である。
【０１２６】
反射板３０１は、表面が光沢質の材質で構成されており、センサ７１に設けられた２個のセンサのうち、一方のセンサに対応する不正治具の不正投光部１６１からの光を他方のセンサに対応する不正受光部１６２に反射して受光させる。
【０１２７】
不正検出部２５１は、通過検出部１１５と同様の処理により、不正治具の使用を認識し、不正を検出する。
【０１２８】
尚、図２２においては、投光部１１１により投光される光が、図２１で示される光路Ｌ１０１−２を介して反射板１１３により反射され、光路Ｌ−２を介して受光部１１４に受光されるセンサのみが示されているが、紙面奥側にさらに、光路Ｌ１０１−１により投光部１１１および受光部１１４の物理的な配置が反対となっている、図示しないセンサも設けられている。以降においては、光路Ｌ１０１−１を介してメダルＭを検出する図示せぬセンサを第１センサと称し、図２２で示されているセンサを第２センサと称するものとする。
【０１２９】
ところで、第１センサおよび第２センサには、それぞれ投光部１１１が設けられているが、変調光を同期して発生するようにしても、LEDの個体差などにより実際には、完全に同期した変調光は発生しない。
【０１３０】
このため、例えば、図２３で示されるように、第１センサにより時刻ｔ２０１乃至ｔ２０３において、メダルの通過を検出し、第２センサにより時刻ｔ２０２乃至ｔ２０４において、メダルの通過を検出するような場合、第１センサおよび第２センサにおける投光部１１１および受光部１１４のタイミングを示す制御信号および受光信号は、図２４で示されるような関係となる。
【０１３１】
すなわち、図２４の最上段で示されるように、時刻ｔ２１３乃至ｔ２１４，ｔ２１７乃至ｔ２１８，ｔ２２１乃至ｔ２２２，ｔ２２５乃至ｔ２２６，ｔ２２９乃至ｔ２３０，ｔ２３３乃至ｔ２３４，ｔ２３７乃至ｔ２３８，ｔ２４１乃至ｔ２４２，ｔ２４５乃至ｔ２４６，ｔ２４９乃至ｔ２５０，ｔ２５３乃至ｔ２５４，ｔ２５７乃至ｔ２５８，・・・において、第１センサの投光部１１１が点灯している。これに対応して、図２４の２段目で示されるように、時刻ｔ２１３乃至ｔ２１４、およびｔ２１７乃至ｔ２１８のタイミングにおいて、第１センサの受光部１１４が第１センサの投光部１１１からの光を受光する。そして、図２４の２段目で示されるように、時刻ｔ２１８以降において光路Ｌ１０１−１が遮光されるようにメダルＭが通路２６を通過すると、図２４の３段目で示されるように、メダルＭの通過が時刻ｔ２３０（＝ｔ２０１）において認識される。
【０１３２】
尚、図２４においては、制御信号に対応して投光部１１１からの光が受光されるべき、時刻ｔ２２１乃至ｔ２２２，ｔ２２５乃至ｔ２２６、およびｔ２２９乃至ｔ２３０の３回のパルス波の発生タイミングにおいて、タイミングが一致していないと認識された後、図２４の３段目で示されるように、時刻ｔ２３０（＝ｔ２０１）以降において、メダルＭの通過が認識されている。
【０１３３】
同様に、図２４の４段目で示されるように、時刻ｔ２１１乃至ｔ２１２，ｔ２１５乃至ｔ２１６，ｔ２１９乃至ｔ２２０，ｔ２２３乃至ｔ２２４，ｔ２２７乃至ｔ２２８，ｔ２３１乃至ｔ２３２，ｔ２３５乃至ｔ２３６，ｔ２３９乃至ｔ２４０，ｔ２４３乃至ｔ２４４，ｔ２４７乃至ｔ２４８，ｔ２５１乃至ｔ２５２，ｔ２５５乃至ｔ２５６，ｔ２５９乃至ｔ２６０，・・・において、第２センサの投光部１１１が点灯している。これに対応して、図２４の５段目で示されるように、時刻ｔ２１１乃至ｔ２１２，ｔ２１５乃至ｔ２１６，ｔ２１９乃至ｔ２２０，ｔ２２３乃至ｔ２２４，ｔ２２７乃至ｔ２２８，ｔ２３１乃至ｔ２３２、およびｔ２３５乃至ｔ２３６のタイミングにおいて、第２センサの受光部１１４が第２センサの投光部１１１からの光を受光する。そして、図２４の５段目で示されるように、時刻ｔ２３６以降において光路Ｌ１０１−２が遮光されるようにメダルＭが通路２６を通過すると、図２４の６段目で示されるように、メダルＭの通過が時刻ｔ２４８（＝ｔ２０２）において認識される。
【０１３４】
このようにセンサ７１における第１センサおよび第２センサの制御信号および受光信号は同一周波数に設定しても、同一位相とはならない。
【０１３５】
この状況において、例えば、図２５，図２６で示されるように、不正治具１５１を使用する場合を考える。尚、図２６においては、点線で示される第１センサ側の不正投光部１６１−２および第２センサ側の不正受光部１６２−１は、不正治具１５１の図中の背面部に設けられており、第１センサ側の不正投光部１６１−２および第２センサ側の不正受光部１６２−１は、不正治具１５１の図中の正面部に設けられている。また、センサ７１の側面部から見た不正治具１５１の配置は、図１０における場合と同様である。
【０１３６】
すなわち、第１センサの投光部１１１により投光された光は、光路Ｌ１０１−１を介して不正受光部１６２−１に受光される。そして、不正投光部１６１−１により投光された光は、不正受光部１６２−１により光が受光されたタイミングと同期しており、光路Ｌ１０２−１を介して第１センサの受光部１１４に受光される。このとき、不正投光部１６１−１により投光された光の一部は、拡散することにより、光路Ｌ１１１で示される方向にも照射されて、光路Ｌ１１１を介して反射板３０１により光路Ｌ１１２に反射される。そして、光路Ｌ１１２に反射された光は、第２センサに対応する投光部１１１より投光される光を受光する不正受光部１６２−２にも受光される。
【０１３７】
一方、第２センサにおける投光部１１１より投光された光は、不正治具１５１の光路Ｌ１０２−２を介して第２センサの不正受光部１６２−２に受光される。
【０１３８】
このため、第１センサについては、図２７の最上段で示されるように、図２４の最上段で示される場合と同様に、投光部１１１より光が投光されると、図２７の上から２段目で示されるように、不正治具１５１の不正受光部１６２−１において、投光部１１１が投光する変調光をそのまま受光する。さらに、不正治具１５１の不正投光部１６１においては、図２７の３段目で示されるように、図２４における２段目と同様に投光することになるので、受光部１１４は、図２７の４段目で示されるように、図２４における２段目と同様に、受光される。結果として、図２７の５段目で示されるように、図２４の３段目における場合と同様に、メダルＭの通過が検出される。
【０１３９】
一方、第２センサについては、図２７の６段目で示されるように、図２４における４段目と同様に、投光部１１１より光が投光されると、不正治具１５１の不正受光部１６２−２は、第２センサの投光部１１１より投光される光と、反射板３０１により反射される、実質的に位相がずれた第１センサの投光部１１１により投光される光とを両方受光することになる。このため、図２７の７段目で示されるように、第１センサおよび第２センサにおける両方の投光部１１１により投光される光を重ね合わせた合成変調光を受光することになる。したがって、図２７の８段目および９段目で示されるように、不正治具１５１の不正投光部１６１−２より投光される光、および第２センサの受光部１１４において受光される光も、いずれも上述した合成変調光となるので、図２７の最下段で示されるように、第２センサについては、メダルＭの通過を検出しないことになる。
【０１４０】
結果として、反射板３０１を設けるようにして、センサ７１における２個のセンサのうち、いずれか一方のセンサに対応する不正治具の受光部に２個のセンサの投光部１１１からの光を両方とも受光させる構成とすることにより、不正治具の使用を検出すると共に、不正なメダルＭの計数を抑制することが可能となる。
【０１４１】
尚、図２１，図２２におけるセンサ７１を利用した通過検出動作、および不正検出動作については、図８を参照して説明した処理と同様であるので、その説明は省略するものとする。ただし、不正検出動作については、ステップＳ３において、制御信号と受光信号とが一致しない状態となっている時間が、所定時間内ではない場合の処理とされる。
【０１４２】
また、以上においては、第１センサおよび第２センサにおけるそれぞれの投光部１１１の個体差により生じる変調光の発光タイミングの差を用いて不正を検出する例について説明してきたが、例えば、第１センサおよび第２センサにおけるそれぞれの投光部１１１の投光タイミングは、異なるものであればよいので、個別に異なる周波数の変調光を発生するように予め設定するようにしてもよい。
【０１４３】
以上によれば、不正治具により遊技機における遊技媒体の不正な計数行為を抑制することが可能になると共に、不正治具の使用を認識して、不正を検出することが可能となる。
【０１４４】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【０１４５】
【図１】本発明を適用した遊技機の実施の形態の構成を示す概観斜視図である。
【図２】本発明を適用した遊技機の実施の形態の構成を示す概観図である。
【図３】セレクタの構成例を示す正面図である。
【図４】セレクタの構成例を示す背面図である。
【図５】セレクタの構成例を示す分解図である。
【図６】センサの構成例を示す概観図である。
【図７】第１の実施例のセンサの構成例を示す構成図である。
【図８】図７のセンサによる通過検出動作を説明するフローチャートである。
【図９】図７のセンサによる通過検出動作を説明する波形図である。
【図１０】図７のセンサに不正治具が用いられた例を示す図である。
【図１１】図７のセンサに不正治具が用いられた場合の波形図である。
【図１２】第２の実施例のセンサの構成例を示す構成図である。
【図１３】図１２のセンサによる通過検出動作を説明するフローチャートである。
【図１４】図１２のセンサによる通過検出動作を説明する波形図である。
【図１５】図１２のセンサに不正治具が用いられた例を示す図である。
【図１６】図１２のセンサに不正治具が用いられた場合の波形図である。
【図１７】第３の実施例のセンサの構成例を示す構成図である。
【図１８】図１７のセンサによる通過検出動作を説明するフローチャートである。
【図１９】図１７のセンサによる通過検出動作を説明する波形図である。
【図２０】図１７のセンサに不正治具が用いられた例を示す図である。
【図２１】第４の実施例のセンサの構成例を示す概観斜視図である。
【図２２】図２１のセンサの構成例を示す構成図である。
【図２３】図２１のセンサによる通過検出動作を説明する波形図である。
【図２４】図２１のセンサによる通過検出動作を説明する波形図である。
【図２５】図２１のセンサに不正治具が用いられた例を示す図である。
【図２６】図２１のセンサに不正治具が用いられた例を示す図である。
【図２７】図２１のセンサに不正治具が用いられた場合の波形図である。
【符号の説明】
【０１４６】
１  遊技機
１０  メダルセレクタ
７１  センサ
１１１  投光部
１１２  発光部
１１３  反射板
１１４  受光部
１１５  通過検出部
１１６  投光制御部
１２１  カウンタ
１５１  不正治具
１６１，１６１−１，１６１−２  不正投光部
１６２，１６２−１，１６２−２  不正受光部
２０１  発光部
２０２  プリズム
２１１  通過検出部
２２１  不正検出部
２３１  不正発報部
２５１  不正検出部
【図１】
2010088681.tif 000003
【図２】
2010088681.tif 000004
【図３】
2010088681.tif 000005
【図４】
2010088681.tif 000006
【図５】
2010088681.tif 000007
【図６】
2010088681.tif 000008
【図７】
2010088681.tif 000009
【図８】
2010088681.tif 000010
【図９】
2010088681.tif 000011
【図１０】
2010088681.tif 000012
【図１１】
2010088681.tif 000013
【図１２】
2010088681.tif 000014
【図１３】
2010088681.tif 000015
【図１４】
2010088681.tif 000016
【図１５】
2010088681.tif 000017
【図１６】
2010088681.tif 000018
【図１７】
2010088681.tif 000019
【図１８】
2010088681.tif 000020
【図１９】
2010088681.tif 000021
【図２０】
2010088681.tif 000022
【図２１】
2010088681.tif 000023
【図２２】
2010088681.tif 000024
【図２３】
2010088681.tif 000025
【図２４】
2010088681.tif 000026
【図２５】
2010088681.tif 000027
【図２６】
2010088681.tif 000028
【図２７】
2010088681.tif 000029